(57)【要約】【課題】  放送コンテンツまたはリンクコンテンツから他のコンテンツへの遷移に際して、視聴者に煩わしさを与えることがないようにすることができる受信端末および受信端末の表示制御プログラムを提供する。【解決手段】  放送コンテンツ取得部２０は、放送コンテンツを取得する。遷移先種類判定部２２は、取得した放送コンテンツ内のフォーカスされた要素に指定された遷移先のコンテンツの種類を判定する。ヒント情報提示指示部２４および提示処理部は、遷移先のコンテンツの種類を表わすヒント情報を提示する。【選択図】        図２
2006287872.tif 000002
【特許請求の範囲】
【請求項１】
コンテンツを取得する取得部と、
前記取得したコンテンツ内のフォーカスされた要素に指定された遷移先のコンテンツの種類を判定する遷移先判定部と、
前記判定した遷移先のコンテンツの種類を表わすヒント情報を提示するヒント情報提示部とを備えた受信端末。
【請求項２】
前記遷移先判定部は、前記取得したコンテンツに基づいて、前記遷移先のコンテンツの種類が放送コンテンツ、リンクコンテンツおよびリンクコンテンツ以外の通信コンテンツのいずれであるかを判定し、
前記ヒント情報提示部は、前記判定した遷移先のコンテンツの種類が放送コンテンツ、リンクコンテンツおよびリンクコンテンツ以外の通信コンテンツのいずれであるかを表わすヒント情報を提示する、請求項１記載の受信端末。
【請求項３】
前記遷移先判定部は、前記遷移先のコンテンツが放送波から取得するコンテンツであって、前記取得したコンテンツと同じデータ放送サービスに属するコンテンツの場合に、前記遷移先のコンテンツの種類が放送コンテンツであると判定する、請求項２記載の受信端末。
【請求項４】
前記遷移先判定部は、前記遷移先のコンテンツが通信コンテンツであって、通信ブラウザを起動させないコンテンツの場合に、前記遷移先のコンテンツの種類がリンクコンテンツであると判定する、請求項２記載の受信端末。
【請求項５】
前記遷移先判定部は、前記遷移先のコンテンツが通信コンテンツであって、通信ブラウザを起動させるコンテンツの場合に、前記遷移先のコンテンツの種類がリンクコンテンツ以外の通信コンテンツであると判定する、請求項２記載の受信端末。
【請求項６】
前記受信端末は、さらに、
取得した放送コンテンツをモジュールを単位として記憶する内蔵メモリと、
前記内蔵メモリの容量が空いている限り、受信したモジュールを前記内蔵メモリに記憶するキャッシュ制御部とを備え、
前記遷移先判定部は、遷移先の種類が放送コンテンツの場合に、さらに前記遷移先のコンテンツがどのモジュールに含まれるかを特定し、前記特定した遷移先のモジュールが前記内蔵メモリに記憶されているか否かを判定し、
前記ヒント情報提示部は、さらに、前記特定した遷移先のモジュールが前記内蔵メモリに記憶されているか否かを表わすヒント情報を提示する、請求項２または３記載の受信端末。
【請求項７】
前記遷移先判定部は、命令の実行結果に依存して遷移先のコンテンツの種類が変化する場合には、前記命令を実行し、実行結果に基づいて遷移先のコンテンツの種類を判定する、請求項２記載の受信端末。
【請求項８】
遷移先種類判定部は、前記フォーカスされている要素に指定された遷移先のコンテンツの種類をフォーカスされた最初の時点だけでなく、所定時間ごとに判定する、請求項６または７記載の受信端末。
【請求項９】
コンピュータを、
コンテンツを取得する取得部と、
前記取得したコンテンツ内のフォーカスされた要素に指定された遷移先のコンテンツの種類を判定する遷移先判定部と、
前記判定した遷移先のコンテンツの種類を表わすヒント情報を提示するヒント情報提示部として機能させるための受信端末の表示制御プログラム。
【請求項１０】
前記遷移先判定部は、前記取得したコンテンツに基づいて、前記遷移先のコンテンツの種類が放送コンテンツ、リンクコンテンツおよびリンクコンテンツ以外の通信コンテンツのいずれであるかを判定し、
前記ヒント情報提示部は、前記判定した遷移先のコンテンツの種類が放送コンテンツ、リンクコンテンツおよびリンクコンテンツ以外の通信コンテンツのいずれであるかを表わすヒント情報を提示する請求項９記載の受信端末の表示制御プログラム。
【請求項１１】
前記遷移先判定部は、前記遷移先のコンテンツが放送波から取得するコンテンツであって、前記取得したコンテンツと同じデータ放送サービスに属するコンテンツの場合に、前記遷移先のコンテンツの種類が放送コンテンツであると判定する、請求項１０記載の受信端末の表示制御プログラム。
【請求項１２】
前記遷移先判定部は、前記遷移先のコンテンツが通信コンテンツであって、通信ブラウザを起動させないコンテンツの場合に、前記遷移先のコンテンツの種類がリンクコンテンツであると判定する、請求項１０記載の受信端末の表示制御プログラム。
【請求項１３】
前記遷移先判定部は、前記遷移先のコンテンツが通信コンテンツであって、通信ブラウザを起動させるコンテンツの場合に、前記遷移先のコンテンツの種類がリンクコンテンツ以外の通信コンテンツであると判定する、請求項１０記載の受信端末の表示制御プログラム。
【請求項１４】
前記受信端末は、
さらに、取得した放送コンテンツをモジュールを単位として記憶する内蔵メモリと、
前記内蔵メモリの容量が空いている限り、受信したモジュールを前記内蔵メモリに記憶するキャッシュ制御部とを備え、
前記遷移先判定部は、遷移先の種類が放送コンテンツの場合に、さらに前記遷移先のコンテンツがどのモジュールに含まれるかを特定し、前記特定した遷移先のモジュールが前記内蔵メモリに記憶されているか否かを判定し、
前記ヒント情報提示部は、さらに、前記特定した遷移先のモジュールが前記内蔵メモリに記憶されているか否かを表わすヒント情報を提示する、請求項１０または１１記載の受信端末の表示制御プログラム。
【請求項１５】
前記遷移先判定部は、命令の実行結果に依存して遷移先のコンテンツの種類が変化する場合には、前記命令を実行し、実行結果に基づいて遷移先のコンテンツの種類を判定する、請求項１０記載の受信端末の表示制御プログラム。
【請求項１６】
遷移先種類判定部は、前記フォーカスされている要素に指定された遷移先のコンテンツの種類をフォーカスされた最初の時点だけでなく、所定時間ごとに判定する、請求項１４または１５記載の受信端末の表示制御プログラム。
【発明の詳細な説明】
【技術分野】
【０００１】
本発明は、受信端末および受信端末の表示制御プログラムに関し、特に、地上デジタル放送を受信する受信端末および受信端末の表示制御プログラムに関する。
【背景技術】
【０００２】
地上デジタル放送を受信する受信端末で受信できるデータコンテンツには、たとえば、非特許文献１に記載されているように、放送波から取得する放送コンテンツ、通信経由で取得する通信コンテンツに大別できる。通信コンテンツは、さらに、その遷移元の放送コンテンツを提供する放送事業者の管理下にあるリンクコンテンツと、管理下にないリンクコンテンツ以外の通信コンテンツに分類できる。
【０００３】
放送コンテンツから通信コンテンツに遷移する場合には、通信料金が視聴者に課せられるため、受信端末は、視聴者からパーミッションを得るようにする機能を備えることが要請されている。
【０００４】
また、受信端末では、「混在表示」が制限されている。「混在表示」とは、あるコンテンツ提供者が、他の提供者が提供するコンテンツの内容に自己のコンテンツの内容を関連づけて同時に表示する、あるいは他の提供者が提供するコンテンツの表示に影響を及ぼすなどをすることによって、複数の提供者が提供するコンテンツを同一の提供者が提供するコンテンツであると視聴者に誤解を与えるように表示することをいう。そのため、放送コンテンツまたはリンクコンテンツからリンクコンテンツ以外の通信コンテンツに遷移する場合には、受信端末では、通信ブラウザを起動するとともに、放送画面を消し、全画面に当該コンテンツを提示することが推奨されている。
【０００５】
ここで、通信ブラウザは、通信を経由して、放送業者が提供するサービス以外のコンテンツを提示する用途に用いられる。すなわち、リンクコンテンツ以外の通信コンテンツの提示に用いられるブラウザである。放送業者が提供するサービスとの混在表示が制限される。
【０００６】
これに対して、データ放送ブラウザは、放送、通信を経由して放送事業者がサービスを行なうにあたり提供するコンテンツを提示する用途に用いられる。すなわち、放送コンテンツ、リンクコンテンツの提示に用いられるブラウザである。
【０００７】
また、放送波から取得する放送コンテンツについては、その提示レスポンスを早くするために、受信端末の内蔵メモリが満杯になるまで、受信したモジュールを記憶していく動作（キャッシュ動作）が推奨されている。
【非特許文献１】地上デジタルテレビジョン放送運用規定  技術資料  ＡＲＩＢ  ＴＲ−Ｂ１４  ２．２版（第１分冊）、Ｈ１６年１２月１４日、社団法人  電波産業会
【発明の開示】
【発明が解決しようとする課題】
【０００８】
しかしながら、放送コンテンツから通信コンテンツに遷移するたびに、パーミッションを求めるダイアログが表示されるのは、視聴者にとって煩わしい。
【０００９】
また、放送コンテンツまたはリンクコンテンツからリンクコンテンツ以外の通信コンテンツに遷移する場合には、通信ブラウザを立上げることによって、放送波から取得した映像コンテンツが表示されなくなる。これは、映像コンテンツの視聴を主目的とし、補足的にデータコンテンツを視聴している大多数の視聴者にとっては、煩わしいことである。
【００１０】
また、放送コンテンツに遷移する場合においても、受信環境が悪いなどの理由によって、その遷移先のコンテンツがキャッシュされていないときには、視聴者は、その遷移先のコンテンツを取得するまで待たなければならず、煩わしい。
【００１１】
それゆえに、本発明の目的は、放送コンテンツまたはリンクコンテンツから他のコンテンツへの遷移に際して、視聴者に煩わしさを与えることがないようにすることができる受信端末および受信端末の表示制御プログラムを提供することである。
【課題を解決するための手段】
【００１２】
上記課題を解決するために、本発明の受信端末は、コンテンツを取得する取得部と、取得したコンテンツ内のフォーカスされた要素に指定された遷移先のコンテンツの種類を判定する遷移先判定部と、判定した遷移先のコンテンツの種類を表わすヒント情報を提示するヒント情報提示部とを備える。
【００１３】
好ましくは、遷移先判定部は、取得したコンテンツに基づいて、遷移先のコンテンツの種類が放送コンテンツ、リンクコンテンツおよびリンクコンテンツ以外の通信コンテンツのいずれであるかを判定し、ヒント情報提示部は、判定した遷移先のコンテンツの種類が放送コンテンツ、リンクコンテンツおよびリンクコンテンツ以外の通信コンテンツのいずれであるかを表わすヒント情報を提示する。
【００１４】
好ましくは、遷移先判定部は、遷移先のコンテンツが放送波から取得するコンテンツであって、取得したコンテンツと同じデータ放送サービスに属するコンテンツの場合に、遷移先のコンテンツの種類が放送コンテンツであると判定する。
【００１５】
好ましくは、遷移先判定部は、遷移先のコンテンツが通信コンテンツであって、通信ブラウザを起動させないコンテンツの場合に、遷移先のコンテンツの種類がリンクコンテンツであると判定する。
【００１６】
好ましくは、遷移先判定部は、遷移先のコンテンツが通信コンテンツであって、通信ブラウザを起動させるコンテンツの場合に、遷移先のコンテンツの種類がリンクコンテンツ以外の通信コンテンツであると判定する。
【００１７】
好ましくは、受信端末は、さらに、取得した放送コンテンツをモジュールを単位として記憶する内蔵メモリと、内蔵メモリの容量が空いている限り、受信したモジュールを内蔵メモリに記憶するキャッシュ制御部とを備え、遷移先判定部は、遷移先の種類が放送コンテンツの場合に、さらに遷移先のコンテンツがどのモジュールに含まれるかを特定し、特定した遷移先のモジュールが内蔵メモリに記憶されているか否かを判定し、ヒント情報提示部は、さらに、特定した遷移先のモジュールが内蔵メモリに記憶されているか否かを表わすヒント情報を提示する。
【００１８】
好ましくは、遷移先判定部は、命令の実行結果に依存して遷移先のコンテンツの種類が変化する場合には、命令を実行し、実行結果に基づいて遷移先のコンテンツの種類を判定する。
【００１９】
好ましくは、遷移先種類判定部は、フォーカスされている要素に指定された遷移先のコンテンツの種類をフォーカスされた最初の時点だけでなく、所定時間ごとに判定する。
【００２０】
また、本発明の受信端末の表示制御プログラムは、コンピュータを、コンテンツを取得する取得部と、取得したコンテンツ内のフォーカスされた要素に指定された遷移先のコンテンツの種類を判定する遷移先判定部と、判定した遷移先のコンテンツの種類を表わすヒント情報を提示するヒント情報提示部として機能させる。
【００２１】
好ましくは、遷移先判定部は、取得したコンテンツに基づいて、遷移先のコンテンツの種類が放送コンテンツ、リンクコンテンツおよびリンクコンテンツ以外の通信コンテンツのいずれであるかを判定し、ヒント情報提示部は、判定した遷移先のコンテンツの種類が放送コンテンツ、リンクコンテンツおよびリンクコンテンツ以外の通信コンテンツのいずれであるかを表わすヒント情報を提示する。
【００２２】
好ましくは、遷移先判定部は、遷移先のコンテンツが、放送波から取得するコンテンツであって、取得したコンテンツと同じデータ放送サービスに属するコンテンツの場合に、遷移先のコンテンツの種類が放送コンテンツであると判定する。
【００２３】
好ましくは、遷移先判定部は、遷移先のコンテンツが通信コンテンツであって、通信ブラウザを起動させないコンテンツの場合に、遷移先のコンテンツの種類がリンクコンテンツであると判定する。
【００２４】
好ましくは、遷移先判定部は、遷移先のコンテンツが通信コンテンツであって、通信ブラウザを起動させるコンテンツの場合に、遷移先のコンテンツの種類がリンクコンテンツ以外の通信コンテンツであると判定する。
【００２５】
好ましくは、受信端末は、さらに、取得した放送コンテンツをモジュールを単位として記憶する内蔵メモリと、内蔵メモリの容量が空いている限り、受信したモジュールを内蔵メモリに記憶するキャッシュ制御部とを備え、遷移先判定部は、遷移先の種類が放送コンテンツの場合に、さらに遷移先のコンテンツがどのモジュールに含まれるかを特定し、特定した遷移先のモジュールが内蔵メモリに記憶されているか否かを判定し、ヒント情報提示部は、さらに、特定した遷移先のモジュールが内蔵メモリに記憶されているか否かを表わすヒント情報を提示する。
【００２６】
好ましくは、遷移先判定部は、命令の実行結果に依存して遷移先のコンテンツの種類が変化する場合には、命令を実行し、実行結果に基づいて遷移先のコンテンツの種類を判定する。
【００２７】
好ましくは、遷移先種類判定部は、フォーカスされている要素に指定された遷移先のコンテンツの種類をフォーカスされた最初の時点だけでなく、所定時間ごとに判定する。
【発明の効果】
【００２８】
本発明によれば、放送コンテンツまたはリンクコンテンツから他のコンテンツへの遷移に際して、視聴者に煩わしさを与えることがないようにすることができる。
【発明を実施するための最良の形態】
【００２９】
以下、本発明の実施の形態について図面を用いて説明する。
【００３０】
［第１の実施形態］
第１の実施の形態は、フォーカスされた要素に指定された遷移先の種類を表すヒント情報を提示する受信端末に関する。
【００３１】
（構成）
図１は、本発明の実施形態の受信端末の機能ブロック図である。
【００３２】
図１を参照して、この受信端末は、チューナ２と、復調部３と、ＴＳ（Transport Stream）デコード処理部４と、音声デコード処理部５と、映像デコード処理部６と、データ放送受信処理部７と、キャッシュ制御部８と、ブラウザ部９と、通信部１０と、ＲＡＭ（Random Access Memory）１２と、提示処理部１１とを備える。
【００３３】
チューナ２は、デジタル放送信号を受信して、ＲＦ（Radio Frequency）帯からベースバンド帯への周波数変換を行ない、ベースバンド信号を復調部３へ出力する。
【００３４】
復調部３は、ベースバンド信号を受けて、これを復調して得られた復調信号から複数個のＴＳパケットを抽出する。そして、復調部２は、ＴＳパケットに対してエラー検出処理を行ない、エラーを検出した場合には、ＴＳパケット内のパケットヘッダのトランスポートエラーインジケータにエラーを示す情報を挿入する。
【００３５】
ＴＳデコード処理部４は、ＴＳパケットを受けて、パケットヘッダのパケット識別子に基づいて、音声信号に対応するＴＳパケット（以下、音声ＴＳパケットという。）、映像信号に対応するＴＳパケット（以下、映像ＴＳパケットという。）およびデータに対応するＴＳパケット（以下、データＴＳパケットという。）を識別する。そして、ＴＳデコード処理部４は、音声ＴＳパケットを音声デコード処理部５へ出力し、映像ＴＳパケットを映像デコード処理部６へ出力する。また、ＴＳデコード処理部４は、複数個のデータＴＳパケットから、セクションを生成し、データ放送受信処理部７へ出力する。
【００３６】
音声デコード処理部５は、音声ＴＳパケットを受けて、ＭＰＥＧ−２（Moving Picture Experts Group）規格の復号処理を行ない、音声データを生成し、外部へ出力する。
【００３７】
映像デコード処理部６は、映像ＴＳパケットを受けて、ＭＰＥＧ−２規格の復号処理を行ない、映像データを生成し、提示処理部１１へ出力する。
【００３８】
データ放送受信処理部７は、ＴＳデコード処理部４からセクションを受けて、モジュールを構成し、キャッシュ制御部８に出力する。
【００３９】
キャッシュ制御部８は、データ放送受信処理部７から送られてくるモジュールをＲＡＭ１２に空き容量がある限り、ＲＡＭ１２に保存する。
【００４０】
ＲＡＭ１２は、キャッシュされたモジュールを保存する。
【００４１】
ブラウザ部９は、ＲＡＭ１２から必要なモジュールを受けて、モジュールから放送コンテンツ、すなわち、ＢＭＬ文書を抽出する。そして、ブラウザ９は、ＢＭＬ文書中の要素のレイアウトを行ない、提示処理部１１へ出力する。
【００４２】
提示処理部１１は、レイアウトされた要素および映像デコード処理部６から受けた映像データを合成した提示画面を生成し、外部へ出力する。
【００４３】
通信部１０は、通信コンテンツの取得を行なう。
【００４４】
図２は、ブラウザ部９の機能ブロック図である。
【００４５】
図２を参照して、ブラウザ部９は、放送コンテンツ取得部２０と、フォーカス制御部２１と、遷移先種類判定部２２と、ヒント情報提示指示部２４と、遷移実行制御部２３と、他ブラウザ起動部２５と、通信コンテンツ取得部２６とを含む。
【００４６】
放送コンテンツ取得部２０は、ＢＭＬ（Broadcast Markup Language）で記述された放送コンテンツを取得する。
【００４７】
フォーカス制御部２１は、放送コンテンツ内のフォーカスが当たる要素を判定し、ユーザの矢印キーまたはテンキーによる操作により、フォーカス対象となる要素にフォーカスを移動する。
【００４８】
遷移先種類判定部２２は、取得した放送コンテンツに基づいて、フォーカスされた要素に遷移先の指定がある場合に、その遷移先のコンテンツの種類が放送コンテンツ、リンクコンテンツおよびリンクコンテンツ以外の通信コンテンツのうちのいずれであるかを判定する。
【００４９】
すなわち、遷移先種類判定部２２は、遷移先のコンテンツが放送波から取得するコンテンツであって、取得した放送コンテンツと同じデータ放送サービスに属するコンテンツの場合に、遷移先のコンテンツの種類が放送コンテンツであると判定する。
【００５０】
具体的には、遷移先種類判定部２２は、遷移先のコンテンツの名前指定がＡＲＩＢ  ＳＴＤ−Ｂ２４で規定される”〜／”といった短縮形指定または”arib-dc://-1.-1.-1/”で始まる場合には、遷移先のコンテンツが放送波から取得するコンテンツであって、取得した放送コンテンツと同じデータ放送サービスに属するコンテンツであるとして、遷移先のコンテンツの種類が放送コンテンツであると判定する。
【００５１】
また、遷移先種類判定部２２は、遷移先のコンテンツが通信コンテンツであって、かつ通信ブラウザを起動させないコンテンツの場合に、遷移先のコンテンツの種類がリンクコンテンツであると判定する。
【００５２】
具体的には、遷移先種類判定部２２は、遷移先のコンテンツの名前指定が”ｈｔｔｐ”または”ｈｔｔｐｓ”で始まる場合には、遷移先のコンテンツが通信コンテンツであるとし、遷移先のコンテンツのＵＲＬ（Uniform Resource Locator）が非特許文献１で規定された放送拡張関数“X_DPA_startResidentAPP("ComBrowser",・・・，ＵＲＬ，・・・)で指定されていない場合には、遷移先のコンテンツが通信ブラウザを起動しないコンテンツであるとして、遷移先のコンテンツの種類がリンクコンテンツであると判定する。
【００５３】
また、遷移先種類判定部２２は、遷移先のコンテンツが通信コンテンツであって、かつ通信ブラウザを起動させるコンテンツの場合に、遷移先のコンテンツの種類がリンクコンテンツ以外の通信コンテンツであると判定する。具体的には、遷移先種類判定部２２は、遷移先のコンテンツの名前指定が”ｈｔｔｐ”または”ｈｔｔｐｓ”で始まる場合には、遷移先のコンテンツが通信コンテンツであるとし、遷移先のコンテンツのＵＲＬ（Uniform Resource Locator）が非特許文献１で規定された放送拡張関数“X_DPA_startResidentAPP("ComBrowser",・・・，ＵＲＬ，・・・)で指定されている場合には、遷移先のコンテンツが通信ブラウザを起動するコンテンツであるとして、遷移先のコンテンツの種類がリンクコンテンツ以外の通信コンテンツであると判定する。
【００５４】
ヒント情報提示指示部２４は、判定された遷移先のコンテンツの種類を示すヒント情報を表わす記号の表示を提示処理部１１に指示する。提示処理部１１は、指示されたヒント情報を表わす記号を映像コンテンツ提示画面の表示領域およびデータコンテンツ提示画面の表示領域以外の表示領域に表示する。
【００５５】
図３（ａ）は、遷移先のコンテンツの種類が放送コンテンツであるというヒント情報を記号で表した例を示す図である。図３（ｂ）は、遷移先のコンテンツの種類がリンクコンテンツであるというヒント情報を記号で表した例を表わす図である。図３（ｃ）は、遷移先のコンテンツの種類がリンクコンテンツ以外の通信コンテンツであるというヒント情報を記号で表した例を表わす図である。これらの図に示されているように、遷移先のコンテンツの種類を表わす記号が表示される。
【００５６】
遷移実行制御部２３は、ユーザが決定キーを操作すると、フォーカスされた要素に遷移先の指定がある場合に、その遷移先のコンテンツを通信コンテンツ取得部２６または放送コンテンツ取得部２０に取得させる。
【００５７】
他ブラウザ起動部２５は、リンクコンテンツ以外の通信コンテンツを表示するために、指定された通信ブラウザを起動する。
【００５８】
通信コンテンツ取得部２６は、インターネットなどを通じて通信コンテンツを取得する。
【００５９】
（動作）
図４は、第１の実施形態の受信端末のブラウザ部９の遷移先の種類の判定動作の手順を表わすフローチャートである。
【００６０】
図４を参照して、フォーカス制御部２１は、放送コンテンツ内のフォーカスが当たる要素を判定し、ユーザの矢印キーまたはテンキーによる操作により、フォーカス対象となる要素にフォーカスを移動する（ステップＳ１０１）。
【００６１】
次に、遷移先種類判定部２２は、フォーカスされた要素に遷移先の指定がある場合に、遷移先のコンテンツの種類を判定する。
【００６２】
すなわち、遷移先種類判定部２２は、遷移先のコンテンツが放送波から取得するコンテンツであって、取得した放送コンテンツと同じデータ放送サービスに属するコンテンツの場合に（ステップＳ１０２でＹＥＳ）、遷移先のコンテンツの種類が放送コンテンツであると判定する（ステップＳ１０３）。
【００６３】
また、遷移先種類判定部２２は、遷移先のコンテンツが通信コンテンツであって、かつ通信ブラウザを起動させないコンテンツの場合に（ステップＳ１０４でＹＥＳ）、遷移先のコンテンツの種類がリンクコンテンツであると判定する（ステップＳ１０５）。
【００６４】
また、遷移先種類判定部２２は、遷移先のコンテンツが通信コンテンツであって、かつ通信ブラウザを起動させるコンテンツの場合に（ステップＳ１０６でＹＥＳ）、遷移先のコンテンツの種類がリンクコンテンツ以外の通信コンテンツであると判定する（ステップＳ１０７）。
【００６５】
ヒント情報提示指示部２４は、判定された遷移先のコンテンツの種類を示すヒント情報を表わす記号の表示を提示処理部１１に指示する（ステップＳ１０８）。
【００６６】
（動作例）
図５は、ＢＭＬで記述された放送コンテンツの例を表わす図である。
【００６７】
図５を参照して、表示される文字が「番組関連情報」である要素に指定された遷移先は、短縮形で指定された“〜/0001/kanren.bml”である。”〜”は、図５の放送コンテンツと同一のデータ放送サービス下の、同一のコンポーネント表わす。それゆえ、遷移先種類判定部２２は、表示される文字が「番組関連情報」である要素がフォーカスされたときには、その遷移先のコンテンツの種類が放送コンテンツであると判定する。
【００６８】
表示される文字が「詳細情報」である要素に指定された遷移先は、“http//www.xx.co.jp/hoge/shousai.bml”である。名前指定が“http:”ではじまるコンテンツは、通信コンテンツを表わす。また、遷移先は、通信ブラウザを起動させないコンテンツである。それゆえ、遷移先種類判定部２２は表示される文字が「詳細情報」である要素がフォーカスされたときには、その遷移先のコンテンツの種類がリンクコンテンツであると判定する。
【００６９】
表示される文字が「通信事業者ＨＰ」である要素に指定された遷移先は、“http//www.hoge-comm.co.jp/hoge/contents.html”である。名前指定が“http:”ではじまるコンテンツは、通信コンテンツを表わす。また、遷移先は、通信ブラウザを起動させるコンテンツである。それゆえ、遷移先種類判定部２２は表示される文字が「通信事業者ＨＰ」である要素がフォーカスされたときには、その遷移先のコンテンツの種類がリンクコンテンツ以外の通信コンテンツであると判定する。
【００７０】
図６は、図５の放送コンテンツの提示画面の例を表わす図である。
【００７１】
図６を参照して、映像コンテンツ提示画面の領域には、放送波から受信した映像コンテンツが表示される。データコンテンツ提示画面の領域には、放送波から受信した放送コンテンツまたは通信によって取得したリンクコンテンツが表示される。図６では、放送コンテンツが表示されている。
【００７２】
遷移先種類判定部２２は、放送コンテンツ内の表示される文字が「番組関連情報」である要素がフォーカスされているので、その遷移先が放送コンテンツであると判定する。ヒント情報提示指示部２４は、遷移先が放送コンテンツであることを示すヒント情報を表わす記号の表示を提示処理部１１に指示する。提示処理部１１は、指示されたヒント情報を表わす記号を映像コンテンツ提示画面の表示領域およびデータコンテンツ提示画面の表示領域以外の表示領域に表示する。
【００７３】
以上のように、第１の実施形態の受信端末によれば、フォーカスされた要素に指定された遷移先の種類が放送コンテンツ、リンクコンテンツおよびリンクコンテンツ以外の通信コンテンツのいずれであるかを表わすヒント情報が提示されるので、放送コンテンツから他のコンテンツへの遷移に際して、視聴者に煩わしさを与えることがないようにすることができる。
【００７４】
［第１の実施形態の変形例］
第１の実施形態では、ヒント情報提示指示部２４および提示処理部１１は、遷移先のコンテンツの種類を示すヒント情報を表わす記号を表示したが、これに限定するものではない。ヒント情報を文字、または図形を表わしてもよく、または、記号、文字および図形を任意に組み合わせて表わしてもよい。
【００７５】
図７（ａ）は、遷移先のコンテンツの種類が放送コンテンツであるというヒント情報を文字で表した例を示す図である。図７（ｂ）は、遷移先のコンテンツの種類がリンクコンテンツであるというヒント情報を文字で表した例を表わす図である。図７（ｃ）は、遷移先のコンテンツの種類がリンクコンテンツ以外の通信コンテンツであるというヒント情報を文字で表した例を表わす図である。これらの図に示されているように、遷移先のコンテンツの種類を表わす文字が表示される。
【００７６】
［第２の実施形態］
第２の実施形態は、フォーカスされた遷移先の種類が放送コンテンツの場合に、そのコンテンツを含むモジュールがキャッシュ済みか否かを表すヒント情報を提示する受信端末に関する。
【００７７】
（構成）
第２の実施形態の受信端末のブラウザ部９は、第１の実施形態の受信端末のブラウザ部９と、遷移先種類判定部２２以外では同様である。以下、第２の実施形態の遷移先種類判定部２２について説明する。
【００７８】
遷移先種類判定部２２は、遷移先のコンテンツの種類が放送コンテンツの場合に、遷移先のコンテンツを含むモジュールがキャッシュ済みでＲＡＭ１２に記憶されているか、またはキャッシュ済みでなくＲＡＭ１２に記憶されていないかをキャッシュ制御部８に問合せる。遷移先種類判定部２２は、問合せ結果をヒント情報提示指示部２４に送る。
【００７９】
ヒント情報提示指示部２４は、問合せ結果を示すヒント情報を表わす記号の提示を提示処理部１１に指示する。提示処理部１１は、ヒント情報を表わす記号を提示する。
【００８０】
図８（ａ）は、キャッシュ済みであることを表わすヒント情報を記号で表わした例を示す図である。図８（ｂ）は、キャッシュ済みでないことを表わすヒント情報を記号で表した例を示す図である。これらの図に示されているように、キャッシュ済みが否かを表わす記号が表示される。
【００８１】
図９は、ヒント情報であるキャッシュ済みか否かを表わす記号が提示される位置を表わす図である。
【００８２】
（動作）
図１０は、第２の実施形態の受信端末のブラウザ部９の遷移先の種類の判定動作の手順を表わすフローチャートである。
【００８３】
図１０を参照して、フォーカス制御部２１は、ユーザが選択した要素にフォーカスを移動する（ステップＳ１０１）。
【００８４】
次に、遷移先種類判定部２２は、フォーカスされた要素に遷移先の指定がある場合に、遷移先のコンテンツの種類を判定する。
【００８５】
すなわち、遷移先種類判定部２２は、遷移先のコンテンツが放送波から取得するコンテンツであって、取得した放送コンテンツと同じデータ放送サービスに属するコンテンツの場合に（ステップＳ１０２でＹＥＳ）、遷移先のコンテンツの種類が放送コンテンツであると判定する（ステップＳ１０３）。
【００８６】
また、遷移先種類判定部２２は、遷移先のコンテンツが通信コンテンツであって、かつ通信ブラウザを起動させないコンテンツの場合に（ステップＳ１０４でＹＥＳ）、遷移先のコンテンツの種類がリンクコンテンツであると判定する（ステップＳ１０５）。
【００８７】
また、遷移先種類判定部２２は、遷移先のコンテンツが通信コンテンツであって、かつ通信ブラウザを起動させるコンテンツの場合に（ステップＳ１０６でＹＥＳ）、遷移先のコンテンツの種類がリンクコンテンツ以外の通信コンテンツであると判定する（ステップＳ１０７）。
【００８８】
遷移先種類判定部２２は、遷移先のコンテンツの種類が放送コンテンツであると判定した場合には、さらに、遷移先のコンテンツがどのモジュールがどのモジュールに含まれるかを特定し、特定した遷移先のモジュールがキャッシュ済みでＲＡＭ１２に記憶されているか、またはキャッシュ済みでなくＲＡＭ１２に記憶されていないかをキャッシュ制御部８に問合せる。遷移先種類判定部２２は、問合せ結果をヒント情報提示指示部２４に送る。
【００８９】
ヒント情報提示指示部２４は、遷移先のコンテンツがキャッシュ済みの場合には（ステップＳ２０１でＹＥＳ）、キャッシュされていることを示すヒント情報を表わす記号の表示を提示処理部１１に指示する（ステップＳ２０２）。一方、ヒント情報提示指示部２４は、遷移先のコンテンツがキャッシュ済みでない場合には（ステップＳ２０１でＮＯ）、キャッシュされていないことを示すヒント情報を表わす記号の表示を提示処理部１１に指示する（ステップＳ２０３）。
【００９０】
以上のように、第２の実施形態の受信端末によれば、フォーカスされた種類が放送コンテンツの場合に、遷移先のコンテンツを含むモジュールがキャッシュ済みか否かを表わすヒント情報が提示されるので、放送コンテンツから他のコンテンツへの遷移に際して、視聴者に煩わしさを与えることがないようにすることができる。
【００９１】
［第２の実施形態の変形例］
第２の実施形態では、ヒント情報提示指示部２４および提示処理部１１は、遷移先のコンテンツがキャッシュ済みか否かを示すヒント情報を表わす記号を表示したが、これに限定するものではない。ヒント情報を文字、または図形を表わしてもよく、または、記号、文字および図形を任意に組み合わせて表わしてもよい。
【００９２】
図１１（ａ）は、キャッシュ済みであることを表わすヒント情報を文字で表わした例を示す図である。図１１（ｂ）は、キャッシュ済みでないことを表わすヒント情報を文字で表した例を示す図である。これらの図に示されているように、キャッシュ済みか否かを表わす文字が表示される。
【００９３】
［第３の実施形態］
第３の実施形態は、スクリプト内のある命令の実行結果によって、遷移先のコンテンツの種類が変化する場合には、その命令を実行し、実行結果に基づいて遷移先のコンテンツの種類を判定する受信端末に関する。
【００９４】
（構成）
第３の実施形態の受信端末のブラウザ部９は、第１の実施形態の受信端末のブラウザ部９と、遷移先種類判定部２２以外では同様である。以下、第３の実施形態の遷移先種類判定部２２について説明する。
【００９５】
遷移先種類判定部２２は、スクリプト内のある命令の実行結果によって、遷移先のコンテンツの種類が変化する場合には、その命令を実行し、実行結果に基づいて遷移先のコンテンツの種類を判定する。
【００９６】
（動作）
図１２は、第３の実施形態の受信端末のブラウザ部９の遷移先の種類の判定動作の手順を表わすフローチャートである。
【００９７】
図１２を参照して、フォーカス制御部２１は、ユーザが選択した要素にフォーカスを移動する（ステップＳ１０１）。
【００９８】
次に、遷移先種類判定部２２は、フォーカスされた要素に遷移先の指定がある場合に、遷移先のコンテンツの種類を判定する。
【００９９】
すなわち、遷移先種類判定部２２は、スクリプト内のある命令の実行結果によって、フォーカスされた要素の遷移先のコンテンツの種類が変化する場合には（ステップＳ４０１でＹＥＳ）、その命令を実行し（ステップＳ４０２）、実行結果に基づいて以下のように遷移先のコンテンツの種類を判定する。
【０１００】
遷移先種類判定部２２は、遷移先のコンテンツが放送波から取得するコンテンツであって、取得した放送コンテンツと同じデータ放送サービスに属するコンテンツの場合に（ステップＳ１０２でＹＥＳ）、遷移先のコンテンツの種類が放送コンテンツであると判定する（ステップＳ１０３）。
【０１０１】
また、遷移先種類判定部２２は、遷移先のコンテンツが通信コンテンツであって、かつ通信ブラウザを起動させないコンテンツの場合に（ステップＳ１０４でＹＥＳ）、遷移先のコンテンツの種類がリンクコンテンツであると判定する（ステップＳ１０５）。
【０１０２】
また、遷移先種類判定部２２は、遷移先のコンテンツが通信コンテンツであって、かつ通信ブラウザを起動させるコンテンツの場合に（ステップＳ１０６でＹＥＳ）、遷移先のコンテンツの種類がリンクコンテンツ以外の通信コンテンツであると判定する（ステップＳ１０７）。
【０１０３】
次に、ヒント情報提示指示部２４は、判定された遷移先のコンテンツの種類を示すヒント情報を表わす記号の表示を提示処理部１１に指示する（ステップＳ１０８）。
【０１０４】
（動作例）
図１３は、ＢＭＬで記述された放送コンテンツの例を表わす図である。
【０１０５】
図１３を参照して、表示される文字が「エリア情報」である要素に指定された遷移先は、スクリプト内の非特許文献１で規定された放送拡張関数““X_DPA_getCurPos()”の実行結果によって、遷移先のコンテンツの種類が変化する。非特許文献１で規定された放送拡張関数““X_DPA_getCurPos()”は、受信端末の現在位置を取得する命令である。受信端末によるこの命令の実行は、搭載しているＧＰＳ（Global Positioning System）受信機などによって、自端末の現在位置（緯度と経度）を取得することで行なわれる。
【０１０６】
取得した経度がｋｅｉｄｏＡより大きく、ｋｅｉｄｏＢ以下であり、取得した緯度がｉｄｏＡより大きく、ｉｄｏＢ以下のときには、遷移先のコンテンツは、放送コンテンツ“〜/0002/area1_info.bml”である。
【０１０７】
また、取得した経度がｋｅｉｄｏＢより大きく、ｋｅｉｄｏＣ以下であり、取得した緯度がｉｄｏＢより大きく、ｉｄｏＣ以下のときには、遷移先のコンテンツは、放送コンテンツ“〜/0002/area2_info.bml”である。
【０１０８】
また、取得した経度および緯度が上記の２つの場合以外のときには、遷移先のコンテンツは、リンクコンテンツ以外の通信コンテンツ“http://www.hoge_comm.co.jp/hoge/koiki_info.html”である。
【０１０９】
それゆえ、遷移先種類判定部２２は、表示される文字が「エリア情報」である要素がフォーカスされたときには、非特許文献１で規定された放送拡張関数“X_DPA_getCurPos()”を実行し、実行結果に基づいて、遷移先のコンテンツの種類を判定する。
【０１１０】
以上のように、第３の実施形態の受信端末によれば、スクリプト内のある命令の実行結果によって、遷移先のコンテンツの種類が変化する場合には、その命令を実行し、実行結果に基づいて遷移先のコンテンツの種類を判定するので、遷移先のコンテンツの種類が命令の実行に依存する場合でも、放送コンテンツから他のコンテンツへの遷移に際して、視聴者に煩わしさを与えることがないようにすることができる。
【０１１１】
［第４の実施形態］
第４の実施形態は、フォーカスされている要素に指定された遷移先のコンテンツの種類をフォーカスされた最初の時点だけでなく、所定時間ごと判定する受信端末に関する。
【０１１２】
（構成）
第４の実施形態の受信端末のブラウザ部９は、第１の実施形態の受信端末のブラウザ部９と、遷移先種類判定部２２以外では同様である。以下、第４の実施形態の遷移先種類判定部２２について説明する。
【０１１３】
遷移先種類判定部２２は、フォーカスされている要素に指定された遷移先のコンテンツの種類をフォーカスされた最初の時点だけでなく、所定時間ごとに判定する。これにより、第２の実施形態においてキャッシュされてＲＡＭに記憶されているモジュールが時間的に変化し、あるいは第３の実施形態の動作例において受信端末の移動により現在位置が時間的に変化する場合のように、遷移先のコンテンツの種類が時間的に変化する場合でも、遷移先のコンテンツの種類を正確に判定することができる。
【０１１４】
（動作）
図１４は、第４の実施形態の受信端末のブラウザ部９の遷移先の種類の判定動作の手順を表わすフローチャートである。
【０１１５】
図１４を参照して、フォーカス制御部２１は、ユーザが新たに選択した要素にフォーカスを移動して、新たに選択した要素に指定された遷移先について、以下のステップＳ１０２〜Ｓ１０８の処理が行なわれる（ステップＳ１０１）。
【０１１６】
また、ユーザが新たに要素の選択を行なわない場合であっても、遷移先の種類の前回の判定から所定時間が経過しているときには（ステップＳ５０１でＹＥＳ）、現在選択されている要素に指定された遷移先について、以下のステップＳ１０２〜Ｓ１０８の処理が行われる。
【０１１７】
遷移先種類判定部２２は、遷移先のコンテンツが放送波から取得するコンテンツであって、取得した放送コンテンツと同じデータ放送サービスに属するコンテンツの場合に（ステップＳ１０２でＹＥＳ）、遷移先のコンテンツの種類が放送コンテンツであると判定する（ステップＳ１０３）。
【０１１８】
また、遷移先種類判定部２２は、遷移先のコンテンツが通信コンテンツであって、かつ通信ブラウザを起動させないコンテンツの場合に（ステップＳ１０４でＹＥＳ）、遷移先のコンテンツの種類がリンクコンテンツであると判定する（ステップＳ１０５）。
【０１１９】
また、遷移先種類判定部２２は、遷移先のコンテンツが通信コンテンツであって、かつ通信ブラウザを起動させるコンテンツの場合に（ステップＳ１０６でＹＥＳ）、遷移先のコンテンツの種類がリンクコンテンツ以外の通信コンテンツであると判定する（ステップＳ１０７）。
【０１２０】
次に、ヒント情報提示指示部２４は、判定された遷移先のコンテンツの種類を示すヒント情報を表わす記号の表示を提示処理部１１に指示する（ステップＳ１０８）。
【０１２１】
以上のように、第４の実施形態の受信端末によれば、フォーカスされている要素に指定された遷移先のコンテンツの種類をフォーカスされた最初の時点だけでなく、所定時間ごと判定するので、遷移先のコンテンツの種類が時間的に変化する場合でも、遷移先のコンテンツの種類を正確に判定することができ、放送コンテンツから他のコンテンツへの遷移に際して、視聴者に煩わしさを与えることがないようにすることができる。
【０１２２】
なお、本発明の実施形態の受信端末のブラウザ部９は、専用のハードウエア装置に限定されるものではない。受信端末の一部にＣＰＵ、メモリ等を配置してコンピュータとして機能できるように構成し、このコンピュータが、インストールされた表示制御プログラムを実行することによって、ブラウザ部９の機能を行なうことができるようにしてもよい。
【０１２３】
なお、本発明の実施形態では、ヒント情報を提示する処理をヒント情報提示指示部２４と、提示処理部１１とに担わせたが、ヒント情報提示指示部２４と、提示処理部１１の複数の機能のうちヒント情報の提示処理を担う部分とをもって、ヒント情報提示部と呼ぶことにしてもよい。
【０１２４】
また、本発明の実施形態では、取得した放送コンテンツ内の要素の遷移先を判定したが、取得したリンクコンテンツ内の要素の遷移先の判定も、同様の方法で行なうことができる。
【０１２５】
すなわち、遷移先種類判定部２２は、取得したリンクコンテンツに基づいて、フォーカスされた要素に遷移先の指定がある場合に、その遷移先のコンテンツの種類が放送コンテンツ、リンクコンテンツおよびリンクコンテンツ以外の通信コンテンツのうちのいずれであるかを判定する。
【０１２６】
遷移先種類判定部２２は、遷移先のコンテンツが放送波から取得するコンテンツであって、取得したリンクコンテンツと同じデータ放送サービスに属するコンテンツの場合に、遷移先のコンテンツの種類が放送コンテンツであると判定する。
【０１２７】
具体的には、遷移先種類判定部２２は、遷移先のコンテンツの名前指定がＡＲＩＢ  ＳＴＤ−Ｂ２４で規定される”arib-dc://-1.-1.-1/”で始まる場合には、遷移先のコンテンツが放送波から取得するコンテンツであって、取得したリンクコンテンツと同じデータ放送サービスに属するコンテンツであるとして、遷移先のコンテンツの種類が放送コンテンツであると判定する。
【０１２８】
また、遷移先種類判定部２２は、遷移先のコンテンツが通信コンテンツであって、かつ通信ブラウザを起動させないコンテンツの場合に、遷移先のコンテンツの種類がリンクコンテンツであると判定する。
【０１２９】
具体的には、遷移先種類判定部２２は、遷移先のコンテンツの名前指定が”ｈｔｔｐ”若しくは”ｈｔｔｐｓ”で始まる場合または相対パス名の場合には、遷移先のコンテンツが通信コンテンツであるとし、遷移先のコンテンツのＵＲＬ（Uniform Resource Locator）が非特許文献１で規定された放送拡張関数“X_DPA_startResidentAPP("ComBrowser",・・・，ＵＲＬ，・・・)で指定されていない場合には、遷移先のコンテンツが通信ブラウザを起動しないコンテンツであるとして、遷移先のコンテンツの種類がリンクコンテンツであると判定する。
【０１３０】
また、遷移先種類判定部２２は、遷移先のコンテンツが通信コンテンツであって、かつ通信ブラウザを起動させるコンテンツの場合に、遷移先のコンテンツの種類がリンクコンテンツ以外の通信コンテンツであると判定する。具体的には、遷移先種類判定部２２は、遷移先のコンテンツの名前指定が”ｈｔｔｐ”または”ｈｔｔｐｓ”で始まる場合には、遷移先のコンテンツが通信コンテンツであるとし、遷移先のコンテンツのＵＲＬ（Uniform Resource Locator）が非特許文献１で規定された放送拡張関数“X_DPA_startResidentAPP("ComBrowser",・・・，ＵＲＬ，・・・)で指定されている場合には、遷移先のコンテンツが通信ブラウザを起動するコンテンツであるとして、遷移先のコンテンツの種類がリンクコンテンツ以外の通信コンテンツであると判定する。
【０１３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３２】
【図１】本発明の実施形態の受信端末の機能ブロック図である。
【図２】ブラウザ部９の機能ブロック図である。
【図３】（ａ）は、遷移先のコンテンツの種類が放送コンテンツであるというヒント情報を記号で表した例を示す図である。（ｂ）は、遷移先のコンテンツの種類がリンクコンテンツであるというヒント情報を記号で表した例を表わす図である。（ｃ）は、遷移先のコンテンツの種類がリンクコンテンツ以外の通信コンテンツであるというヒント情報を記号で表した例を表わす図である。
【図４】第１の実施形態の受信端末のブラウザ部９の遷移先の種類の判定動作の手順を表わすフローチャートである。
【図５】ＢＭＬで記述された放送コンテンツの例を表わす図である。
【図６】図５の放送コンテンツの提示画面の例を表わす図である。
【図７】（ａ）は、遷移先のコンテンツの種類が放送コンテンツであるというヒント情報を文字で表した例を示す図であり、（ｂ）は、遷移先のコンテンツの種類がリンクコンテンツであるというヒント情報を文字で表した例を表わす図であり、（ｃ）は、遷移先のコンテンツの種類がリンクコンテンツ以外の通信コンテンツであるというヒント情報を文字で表した例を表わす図である。
【図８】（ａ）は、キャッシュ済みであることを表わすヒント情報を記号で表わした例を示す図であり、（ｂ）は、キャッシュ済みでないことを表わすヒント情報を記号で表した例を示す図である。
【図９】ヒント情報であるキャッシュ済みか否かを表わす記号が提示される位置を表わす図である。
【図１０】第２の実施形態の受信端末のブラウザ部９の遷移先の種類の判定動作の手順を表わすフローチャートである。
【図１１】（ａ）は、キャッシュ済みであることを表わすヒント情報を文字で表わした例を示す図であり、（ｂ）は、キャッシュ済みでないことを表わすヒント情報を文字で表した例を示す図である。
【図１２】第３の実施形態の受信端末のブラウザ部９の遷移先の種類の判定動作の手順を表わすフローチャートである。
【図１３】ＢＭＬで記述された放送コンテンツの例を表わす図である。
【図１４】第４の実施形態の受信端末のブラウザ部９の遷移先の種類の判定動作の手順を表わすフローチャートである。
【符号の説明】
【０１３３】
２  チューナ、３  復調部、４  ＴＳデコード処理部、５  音声デコード処理部、６  映像デコード処理部、７  データ放送受信処理部、８  キャッシュ制御部、９  ブラウザ部、１０  通信部、１１  提示処理部、１２  ＲＡＭ、２０  放送コンテンツ取得部、２１  フォーカス制御部、２２  遷移先種類判定部、２３  遷移実行制御部、２４  ヒント情報提示指示部、２５  他ブラウザ起動部、２６  通信コンテンツ取得部。
【図１】
2006287872.tif 000003
【図２】
2006287872.tif 000004
【図３】
2006287872.tif 000005
【図４】
2006287872.tif 000006
【図５】
2006287872.tif 000007
【図６】
2006287872.tif 000008
【図７】
2006287872.tif 000009
【図８】
2006287872.tif 000010
【図９】
2006287872.tif 000011
【図１０】
2006287872.tif 000012
【図１１】
2006287872.tif 000013
【図１２】
2006287872.tif 000014
【図１３】
2006287872.tif 000015
【図１４】
2006287872.tif 000016